(57)【要約】 【課題】目的周波数バンドの設定、表示に至るまでに要するキー操作回数を低減した無線通信機を提供する。【解決手段】使用可能周波数バンド中におけるマスク周波数バンドを予めマスク指示キー６によって指定し、マスク指示キー６によって指定されたマスク周波数バンドの情報と使用可能周波数バンドの各周波数バンドの情報とをメモリ４に記憶し、Ａキー５の押下毎にマスク周波数バンドを除く使用可能周波数バンド中から周波数バンドをメモリ４から順次、昇順もしくは降順に検索し、検索した周波数バンドに基づく表示を表示器８に表示させると共に、該表示周波数バンドに送受信周波数バンドを設定するようにした。【選択図】        図１
2007166246.tif 000002
【特許請求の範囲】
【請求項１】
表示器と、使用可能周波数バンド中におけるマスク周波数バンドを予め指定する第１のキーと、第１のキーによって指定されたマスク周波数バンドの情報と使用可能周波数バンドの各周波数バンドの情報とを記憶するメモリと、第２のキーの押下毎にマスク周波数バンドを除く使用可能周波数バンド中から周波数バンドをメモリから順次、昇順もしくは降順に検索し、検索した周波数バンドに基づく表示を表示器に表示させると共に表示周波数バンドに送受信周波数バンドを設定する周波数表示、周波数設定制御手段とを備えたことを特徴とする無線通信機。
【発明の詳細な説明】
【技術分野】
【０００１】
本発明は無線通信機に関し、特に使用周波数を含む機能の設定操作を容易にした無線通信機に関する。
【背景技術】
【０００２】
無線通信機において、使用周波数や機能等を予め複数チャンネルのメモリに記憶し、使用時に所望チャンネルのメモリ内容を呼び出し、そのデータに基づく送受信の運用状態を再現させることができるようにした無線通信機がある。
【０００３】
かかる無線通信機では、例えば、複数のチャンネルメモリのうちの、呼び出しモードスイッチにより呼び出しモードとされ、かつ選択スイッチで選択されて呼び出されたメモリに格納さている運用データに基づいて再現された各種運用条件を変更でき、その変更された内容に基づき当該メモリの内容を自動的に変更するか、変更しないようにするかを使用者が選択できるように構成することにより、設定操作と設定の変更操作がきわめて単純化されて、初心者であっても操作が判らなくなったり、間違ったりすることなく、既に設定されている大切な情報がクリアされることなく使い勝手を向上させている（例えば特許文献１参照）。
【特許文献１】特開平１１−２８４５４０号公報
【０００４】
一方、従来の無線通信機において、使用者が使用したい周波数バンドの設定は、該無線通信機で使用可能なすべての周波数バンドを選択可能とし、キー操作、例えばＡキーを押下する毎に、順次周波数バンドが呼び出され、周波数バンドの設定と周波数バンドの表示がなされていた。例えば、使用周波数バンド；１１８ＭＨｚ→Ａキー押下→１４４ＭＨｚ→Ａキー押下→２２０ＭＨｚ→Ａキー押下→３００ＭＨｚ→Ａキー押下→４３０ＭＨｚ（→Ａキー押下→１１８ＭＨｚ）の如くである。このように使用周波数バンドを１１８ＭＨｚから３００ＭＨｚに設定変更しようとすればＡキーを３回押下する必要がある。
【０００５】
これをフローチャートによって説明すると図３に示す如くである。即ち、通常状態（１１８ＭＨｚ表示）からＡキーが押下されると（ステップＳ１１）、次に表示するべき周波数バンド（１４４ＭＨｚ表示）がメモリから検索される（ステップＳ１２）。検索の結果、周波数バンド（１４４ＭＨｚ表示）が見つかれば（ステップＳ１３）、その周波数バンドが呼び出され（ステップＳ１４）、表示器に周波数バンドが表示され、該表示周波数バンドに送受信周波数バンドが設定される（ステップＳ１５）。ステップＳ１３において検索の結果、周波数バンド（１４４ＭＨｚ表示）が見つからないときは、検索を終了し、現在表示している周波数バンド（１１８ＭＨｚ表示）がそのまま表示、設定される。これを目的の周波数バンド（例えば３００ＭＨｚ表示）が表示、設定されるまでＡキーの押下を繰り返す。
【発明の開示】
【発明が解決しようとする課題】
【０００６】
しかし、上記したような従来の方法による周波数帯の設定、表示では、Ａキーの押下を行って目的の周波数バンドの設定、表示に至るまでに使用しない周波数バンドも順次設定、表示していく必要があるため、目的の使用周波数バンドを呼び出すまでに要するキー操作回数が増加するという問題点がある。
【０００７】
本発明は、目的周波数バンドの設定、表示に至るまでに要するキー操作回数を低減した無線通信機を提供することを目的とする。
【課題を解決するための手段】
【０００８】
本発明の請求項１にかかる無線通信機は、表示器と、使用可能周波数バンド中におけるマスク周波数バンドを予め指定する第１のキーと、第１のキーによって指定されたマスク周波数バンドの情報と使用可能周波数バンドの各周波数バンドの情報とを記憶するメモリと、第２のキーの押下毎にマスク周波数バンドを除く使用可能周波数バンド中から周波数バンドをメモリから順次、昇順もしくは降順に検索し、検索した周波数バンドに基づく表示を表示器に表示させると共に該表示周波数バンドに送受信周波数バンドを設定する周波数表示、周波数設定制御手段とを備えたことを特徴とする。
【発明の効果】
【０００９】
本発明の請求項１にかかる無線通信機によれば、第１のキーによってマスク指定された周波数バンドについては、第２のキーの押下毎の操作によっても表示されず、勿論周波数バンドの設定もなされることはなくなり、キー操作回数が低減され、操作が簡略化される。また、設定のカスタマイズを行うことができるほか、表示のための周波数バンドの探索時間が短縮されることになる。
【発明を実施するための最良の形態】
【００１０】
以下、本発明にかかる無線通信機を実施の形態によって説明する。
【００１１】
図１は本発明の実施の形態にかかる無線通信機の構成を示すブロック図である。
【００１２】
本発明の実施の形態にかかる無線通信機は図１に示す如く、送受信回路１と、アンテナ２と、送受信回路１を制御すると共に表示制御および周波数バンドを設定する設定制御を行うマイクロコンピュータ３と、使用可能周波数バンドとマスク周波数バンドを含む情報を記憶させるメモリ４と、押下毎に使用周波数バンドを指定するための第２のキーに対応するＡキー５とマスクする周波数バンドを指定する第１のキーに対応するマスク指示キー６を含むキー群７と、使用周波数バンドの表示を含む表示器８とを備えている。
【００１３】
マイクロコンピュータ３は、機能的に、予めマスク指示キー６からの指示を受けて使用可能周波数バンド中において使用しない周波数バンド情報をメモリ４に格納させ、Ａキー５の押下毎にマスク周波数バンドを除く使用可能周波数バンド中から周波数バンドをメモリから順次、昇順もしくは降順に検索し、検索した周波数バンドに基づく表示を表示器８に表示させると共に表示周波数バンドに送受信周波数バンドを設定する周波数表示、周波数設定制御手段とを備えている。
【００１４】
本発明の実施の形態にかかる無線通信機における周波数バンドの表示について説明する。
【００１５】
マスク指示キー６によって、マスクされる周波数バンドが指定される。例えば、マスク指示キー６によって「１４４ＭＨｚ：ＵＳＥ」→「１４４ＭＨｚ：ＭＡＳＫ」、「２２０ＭＨｚ：ＵＳＥ」→「２２０ＭＨｚ：ＭＡＳＫ」が指定される。これによりメモリ４に記憶された使用可能周波数バンド中から、１４４ＭＨｚおよび２２０ＭＨｚの周波数バンドがマスクされた旨の情報が格納される。
【００１６】
引き続きＡキー５の押下毎に、順次周波数バンドが呼び出され、周波数バンドの設定および表示がなされる。例えば、使用周波数バンド；１１８ＭＨｚ→Ａキー押下→３００ＭＨｚ→Ａキー押下→４３０ＭＨｚ（→Ａキー押下→１１８ＭＨｚ）の如くＡキー５の押下毎に設定表示されて、この場合は１４４ＭＨｚおよび２２０ＭＨｚの周波数バンドはマスクされる。したがって、周波数バンド１１８ＭＨｚから３００ＭＨｚに設定変更しようとすれば、従来の場合ではＡキー５の押下を３回する必要であったが、これが１回で済むことになる。
【００１７】
また、マスク指示キー６によって、マスクされる周波数バンドの指定において、「１４４ＭＨｚ：ＭＡＳＫ」→「１４４ＭＨｚ：ＵＳＥ」、「２２０ＭＨｚ：ＭＡＳＫ」→「２２０ＭＨｚ：ＵＳＥ」と指定することにより、メモリ４に記憶されている使用可能周波数バンド中における１４４ＭＨｚおよび２２０ＭＨｚの周波数バンドのマスクが解除されて、従来の操作性に戻される。
【００１８】
次に、本発明の実施の形態にかかる無線通信機における周波数バンドの設定表示について図２のフローチャートに基づいて説明する。
【００１９】
通常状態（１１８ＭＨｚ表示）からＡキー５が押下されると（ステップＳ１）、次に設定表示するべき周波数バンド（１４４ＭＨｚ表示）がメモリから検索される（ステップＳ２）。検索の結果、周波数バンド（１４４ＭＨｚ表示）が見つからなかった場合は、検索を終了し、現在表示している周波数バンド（１１８ＭＨｚ表示）がそのまま表示され、送受信周波数バンドもそのまま維持される。
【００２０】
ステップＳ２における検索の結果、周波数バンド（１４４ＭＨｚ表示）が見つかれば（ステップＳ３）、その周波数バンドがマスク設定されているか否かがチェックされ（ステップＳ４）、マスクされていないと判別されたときは周波数バンド（１４４ＭＨｚ表示）が呼び出されて（ステップＳ５）、表示器８に表示されると共に、該表示周波数バンドに送受信周波数バンドが設定される（ステップＳ６）。ステップＳ４においてその周波数バンドがマスク設定されていると判別されたときは、再び次に表示するべき周波数バンド（２２０ＭＨｚ表示）をメモリ４から検索を行う。ここで再びバンドマスクのチェックが行われ、目的の周波数バンド（３００ＭＨｚ表示）が見つかるまでこの処理を繰り返し、見つかったときは目的の周波数バンド（３００ＭＨｚ表示）が表示器８に表示されると共に、該表示周波数バンドに送受信周波数バンドが設定される。
【００２１】
このように、周波数バンド（１４４ＭＨｚ）と周波数バンド（２２０ＭＨｚ）がマスクされているときは、Ａキー５の操作は１回のみで済むことになる。
【００２２】
以上説明したように本発明の実施の形態にかかる無線通信機によれば、使用する周波数バンドの設定、表示時のＡキー押下回数が減り、煩わしさがなくなる。また不要な周波数バンドが表示されないので、操作が簡略化される。また、同時に２つの周波数バンドで運用できる無線通信機においては、更にキーの押下回数が増加してしまうので、本発明を適用することにより、更に操作性を向上させることができる。
【００２３】
また、周波数バンドの設定、表示のみではなく、使用者に対して不必要な設定項目を表示させないようにすることによって、設定表示の簡略化が図れる。また、設定、表示の変更は遠隔制御による操作であってもよい。
【図面の簡単な説明】
【００２４】
【図１】本発明の実施の形態にかかる無線通信機の構成を示すブロック図である。
【図２】本発明の実施の形態にかかる無線通信機の作用の説明に供するフローチャートである。
【図３】従来の無線通信機の作用の説明に供するフローチャートである。
【符号の説明】
【００２５】
１  送受信回路
２  アンテナ
３  マイクロコンピュータ
４  メモリ
５  Ａキー
６  マスク指示キー
７  キー群
８  表示器
【図１】
2007166246.tif 000003
【図２】
2007166246.tif 000004
【図３】
2007166246.tif 000005